(57)【要約】      （修正有）【課題】分離して通常の家庭用洗濯機で洗うことができ、また、日干しもできる敷布団を提供する。【解決手段】中綿層２０を表生地１０と裏生地３０で挟み、表生地１０と裏生地３０の外周を縫製して４枚の薄袋敷布団１とし、薄袋敷布団１の周辺にスナップボタン５０ａ、５０ｂ等の係止部を設ける。使用時には薄袋敷布団１をスナップボタン５０ａ、５０ｂ等で結合して４枚の薄袋敷布団１を重ねて通常の厚さの敷布団とする。スナップボタン５０ａ、５０ｂ等により簡単に分離でき、各薄袋敷布団１は薄いため、丸めて通常の家庭用洗濯機に入れて洗濯できる。【選択図】図１
0003125227.tif 000002
【実用新案登録請求の範囲】
【請求項１】
中綿層を表生地と裏生地で挟み、前記表生地と裏生地の外周を縫製した４枚の薄袋敷布団と、
前記薄袋敷布団の周辺に設けた係止部とを備え、
前記薄袋敷布団を前記係止部で結合して４枚の前記薄袋敷布団を重ね、通常の厚さの敷布団を形成することを特徴とする４分割敷布団。
【請求項２】
前記係止部が、スナップボタン、又は面ファスナーからなることを特徴とする請求項１に記載の４分割敷布団。
【請求項３】
前記薄袋敷布団は、丸めて家庭用洗濯機で洗濯できる大きさにすることを特徴とする請求項１に記載の４分割敷布団。
【請求項４】
前記薄袋敷布団は、同じサイズであることを特徴とする請求項１に記載の４分割敷布団。
【考案の詳細な説明】
【技術分野】
【０００１】
本考案は、４枚の薄袋敷布団に分離して、家庭用洗濯機で洗濯でき、また日干しもできる４分割敷布団に関する。
【背景技術】
【０００２】
近年、ダニ等のハウスダストによるアレルギー体質の人々が増加している。布団にダニ等がいると皮膚炎や喘息、鼻炎等の症状を引き起こすため、アレルギー体質の人々にとっては布団のダニ等をこまめに駆除しなければならない。
【０００３】
一般に布団のダニ等を排除するために、日干しをしている。ダニを死滅させるには５０℃程度の温度が必要だが、日干しだけでは布団の内部の温度はそこまで上がらず、全て死滅させることは難しい。また、日干しではダニの糞や死骸までは除去できず、アレルギーの原因を取り除く根本的な解決策とはいえない。
【０００４】
そのため、家庭内でこまめに洗濯できる布団が望まれているが、布団は大きいため、通常家庭で使っている洗濯機では洗うことができない。特に、敷布団はそこに寝る者の体重を支持するため、適度な硬さ、厚みを要求されるが、そのための硬さ、厚みのある敷布団を家庭用洗濯機に入れようとしても、コンパクトに丸めたりすることができず、家庭内での洗濯を困難にしている。
【０００５】
上記事項に鑑み、１枚の布団を複数のパーツに分断し、家庭用洗濯機でも洗うことを可能とした布団が開示されている。
【０００６】
特許文献１の発明は、平面方向に連続して２以上の袋部を備えた外側地と、袋部毎に分割して挿入する中芯から構成される。中芯を層方向に２層以上に分割して小芯材にするとともに、小芯材の各層の中心を折りたたみ可能とし、コンパクト化を図っている。
【０００７】
また、複数の布団ピースが同一平面上に並置され、各布団ピースを連結部材によって分離可能に連結して、部分洗濯可能な布団が開示されている（特許文献２）。
【特許文献１】特開２００２−３４５６０３号公報
【特許文献２】特開平９−１９３４６号公報
【考案の開示】
【考案が解決しようとする課題】
【０００８】
特許文献１の発明では、簡便な分離が困難であり、こまめに洗濯することが難しいという課題が残る。外側地に設けた複数の小袋毎に、複数の小芯材を挿入する構成であるため、小袋毎にファスナーを開口して、小芯材を重ねて挿入又は取り出しを行わなければならないからである。
【０００９】
また、外側地及び小芯材のそれぞれに折りたたみ部を設ける必要があり、構造が複雑という問題も有する。
【００１０】
特許文献２の発明では、布団ピースの平面寸法は小さくなるが、厚み自体は変らない。このため、丸めることができず、洗濯槽に入れることが困難である。したがって、通常の家庭用洗濯機での十分な洗浄は期待できない。
【００１１】
また、布団ピースが厚いため、たとえ洗濯しても乾燥に時間がかかるという問題もある。
【課題を解決するための手段】
【００１２】
本考案は、中綿層を表生地と裏生地で挟み、前記表生地と裏生地の外周を縫製した４枚の薄袋敷布団と、前記薄袋敷布団の周辺に設けた係止部とを備え、前記薄袋敷布団を前記係止部で結合して４枚の前記薄袋敷布団を重ね、通常の厚さの敷布団を形成することを特徴とする。
【００１３】
また、本考案は前記係止部が、スナップボタン、又は面ファスナーからなることを特徴とする。
【００１４】
更に、本考案は前記薄袋敷布団を、丸めて家庭用洗濯機で洗濯できる大きさにすることを特徴とする。
【００１５】
更に、本考案は前記薄袋敷布団は、同じサイズであることを特徴とする。
【考案の効果】
【００１６】
本発明によると、一つの敷布団を複数の薄袋敷布団に分離できる。それぞれの薄袋敷布団は十分に薄いため、丸めて通常の家庭用洗濯機で洗うことができる。同時に、短時間での乾燥が可能である。
【００１７】
また、本発明では日干しする場合でも、敷布団の中に生息するダニ等を簡単に死滅させることができる。薄袋敷布団の厚みが薄いため、敷布団内部の温度はダニ等が死滅する５０℃前後まで上がるからである。
【００１８】
更に、各薄袋敷布団にスナップボタン等を使うことで、分離、結合が簡易である。
【００１９】
更に、全ての薄袋敷布団が同じサイズであるため、任意の順序で薄袋敷布団を結合しても、同じように使用できる。
【００２０】
更に、全ての薄袋敷布団が同じサイズであるため、表生地の消耗度に応じて、消耗度の低い表生地の薄袋敷布団を一番上にすれば、永く快適に使用できる。
【００２１】
更に、全ての薄袋敷布団が同じサイズであるため、薄袋敷布団ごとに異なる色や模様を施すと、順番を入れ替えるだけで、様々な色や模様の敷布団として楽しむことができる。
【考案を実施するための最良の形態】
【００２２】
図１は、本発明による４分割敷布団の分解斜視図である。図２は、本発明による薄袋敷布団の断面図である。図３は、本発明による４分割敷布団の斜視図である。
【００２３】
図１を参照して本発明による４分割敷布団の概略的構成について説明する。図１は本発明による４分割敷布団の分解斜視図である。
【００２４】
４分割敷布団は、４枚の薄袋敷布団１から構成する。それぞれの薄袋敷布団１を丸めて、通常の家庭用洗濯機に入れて洗濯できる薄さにするためには、少なくとも４枚以上の薄袋敷布団１で形成することが望ましい。特に、簡単に分離したり結合したりするためには、４枚程度の薄袋敷布団１から形成することが最も好ましい。
【００２５】
薄袋敷布団１は中綿層２０（図２参照）を表生地１０と裏生地３０で挟み、その外周を縫製して形成する。
【００２６】
薄袋敷布団１は矩形状であり、通常のダブルサイズでは１４０ｃｍ×２００ｃｍ程度である。また、使用時の敷布団の厚さが５、６ｃｍ程度であると、薄袋敷布団１の厚さは１．５ｃｍ程度である。薄袋敷布団１はこのように薄いため、丸めると通常の家庭用洗濯機で洗うことが可能になると同時に、短時間で乾燥させることができる。
【００２７】
時間がない等、洗濯できない場合でも、日干しするだけで敷布団に生息するダニを駆除することができる。薄袋敷布団１は、１枚１枚が薄いため、短時間で内部の温度が上がる。通常の敷布団の中心付近は、その厚さが災いし、敷布団中心部の温度はさほど上がらない。このため、５０℃程度というダニの死滅条件を達成できない。しかし、上述のように薄袋敷布団１は薄いため、中心部付近の温度も５０℃程度まで速やかに上がり、ダニ等を死滅させることが可能となる。
【００２８】
全ての薄袋敷布団１は、同じサイズが好ましい。いずれの順序で薄袋敷布団１を結合しても、同じように使用できる。
【００２９】
表生地１０は、睡眠者が横たわる際に、直接肌が触れる部分でもあり、織物等の丈夫で肌触りの良い材質を使用することが望ましい。裏生地３０は直接肌が触れないため、不織物等でもよい。中綿層２０はポリエステル繊維や綿等を用いればよい。
【００３０】
表生地１０と裏生地３０を同一の材質にしてもよい。いずれの面が表であるかを区別することなく使用できる。
【００３１】
薄袋敷布団１には、キルティング４０を施し、睡眠時及び洗濯時に中綿層２０が特定方向へ移動することを防止している。
【００３２】
表生地１０の周囲に、係止部としてスナップボタン凹部５０ａを設けている。また、表生地１０に対向する裏生地３０に、スナップボタン凸部５０ｂを設けている。スナップボタン凹部５０ａ及び凸部５０ｂは、各薄袋敷布団１を分離、結合しやすいように、それぞれ表生地１０及び裏生地３０の外周近くに配置することが好ましい。
【００３３】
スナップボタン凹部５０ａ及び凸部５０ｂは、それぞれ表生地１０及び裏生地３０に１０個ずつ配置している。スナップボタンの数は、睡眠時に各薄袋敷布団１がずれて分離することを防止できる数量とする。
【００３４】
すべての薄袋敷布団１は同じ大きさとし、それぞれのスナップボタンを同じ位置に設置することで、薄袋敷布団１を重ねる際に上下の順番を考慮せずに重ねることが可能である。このため、表生地１０の消耗度に応じ、消耗度の低い表生地１０の薄袋敷布団１を一番上にすれば、永く快適に使用できる。
【００３５】
また、薄袋敷布団１ごとに異なる色や模様を施すと、順番を入れ替えるだけで、様々な色や模様の敷布団になる。例えば、４枚の薄袋敷布団１に四季の花等を施すと、簡単に四季折々の花柄敷布団として楽しむことができる。
【００３６】
スナップボタンはできる限り小型で薄型のものが好ましい。洗濯時にスナップボタンが洗濯槽に触れること、また、結合時に複数のスナップボタンが重なり、寝心地を阻害することを防止できる。
【００３７】
また、一番上と一番下の薄袋敷布団１の周囲を結合すれば、使用時の薄袋敷布団１のずれや分離をある程度抑えることができる。この場合、スナップボタン凹部５０ａを一番下の薄袋敷布団１の表生地１０に、スナップボタン凸部５０ｂを一番上の薄袋敷布団１の裏生地３０に設置して結合させれば、中の２つの薄袋敷布団１にはボタンを設置する必要はなくなる。薄袋敷布団１を分離したり結合したりする際の作業性が向上し、コスト的にも有利である。
【００３８】
本発明では様々な係止手段を用いることができる。上述のスナップボタンのほか、面ファスナーを使用してもよい。
【００３９】
面ファスナーを使用する場合、表生地１０の周囲に面ファスナーのフック部を設け、表生地１０に対向する裏生地３０にループ部をそれぞれ設けるとよい。面ファスナーの設置箇所や数量等は、上述のスナップボタンと同様で良い。
【００４０】
図２の薄袋敷布団１の断面図を参照して、薄袋敷布団１の内部構造について説明する。
【００４１】
薄袋敷布団１は、表生地１０と裏生地３０の外周を縫製し、内部に中綿層２０を充填した構造である。
【００４２】
表生地１０にスナップボタン凹部５０ａを、その垂直下方向の裏生地３０にスナップボタン凸部５０ｂを設けている。これにより、上下に重なる薄袋敷布団１同士が結合、分離する。
【００４３】
図３は、４枚の薄袋敷布団１を結合した使用時の状態を示す斜視図である。
【００４４】
各薄袋敷布団１は、上下に隣接する薄袋敷布団１とスナップボタン凹部５０ａ及びスナップボタン凸部５０ｂによって結合している。隣接する薄袋敷布団１同士はそれぞれ１０個のスナップボタン５０で結合しているため、睡眠中の敷布団のずれもない。
【００４５】
このままの状態で使用しても差し支えないが、シーツ等で覆って使用してもよい。４枚の薄袋敷布団１を重ねて結合しているため、十分な厚みがあり、睡眠者を快適に支持できる。
【図面の簡単な説明】
【００４６】
【図１】本発明による４分割敷布団の分解斜視図である。
【図２】本発明による薄袋敷布団の断面図である。
【図３】本発明による４分割敷布団の斜視図である。
【符号の説明】
【００４７】
１      薄袋敷布団
１０    表生地
２０    中綿層
３０    裏生地
４０    キルティング
５０ａ  スナップボタン凹部
５０ｂ  スナップボタン凸部
【図１】
0003125227.tif 000003
【図２】
0003125227.tif 000004
【図３】
0003125227.tif 000005